(57)【要約】      （修正有）【課題】  一方の局における有線伝送路の障害や無線伝送路における障害を、無線伝送路を介して接続される両端局に通知する事が可能となり、端局間で冗長構成をとるネットワーク構成に適した装置を提供する。【解決手段】  上り回線または下り回線のいずれか一方の無線伝送路で回線障害が発生した場合に、無線伝送路を介して対向する二つの無線伝送装置に各々接続された有線伝送路のデータリンクを強制的に切断する機能と、無線伝送路を介して対向する二つの無線伝送装置に各々接続された有線伝送路の内、いずれか一方のデータリンクが切断された場合に、対向局に接続された有線伝送路のデータリンクを強制的に切断する機能を備える。対向局のリンク断によって自局のリンクを強制的に切断した場合に、自局のリンク断の情報を対向局へ通知することによって、両局が互いに自局のリンクを強制的に切断し、正常状態に復帰できないという問題を回避する回路を備える。【選択図】  図１
2005217565.tif 000002
【特許請求の範囲】
【請求項１】
上り及び下り無線伝送路を介して対向局無線伝送装置に接続され、自局有線伝送路を介して自局のネットワーク機器に接続されている無線伝送装置において、
前記下り無線伝送路に回線障害が発生し、異常な無線受信信号を受信すると、回線異常と判断して下り回線断警報を出力する無線フレーム同期回路と、
下り回線断警報を受け、強制リンク断制御信号を生成し、通知するリンク制御回路と、
強制リンク断制御信号を受信し、前記自局有線伝送路のデータリンクを強制的に切断し、前記自局ネットワーク機器に対して、前記上り及び下り無線伝送路に障害があることを通知するＬＡＮ信号終端回路と
を有することを特徴とする無線伝送装置。
【請求項２】
前記回線断警報を無線フレームのオーバヘッド領域に多重することによって無線送信信号を生成し、当該無線送信信号を無線伝送路を介して前記対向局無線伝送装置に送信する無線フレーム多重回路を有し、
受信障害が発生していない逆方向回線先の対向局無線伝送装置に接続された対向局ネットワーク機器に対しても障害通知を行う
ことを特徴とする請求項１記載の無線伝送装置。
【請求項３】
前記上り無線伝送路に障害が発生し、前記下り無線伝送路を介して、前記対向局無線伝送装置から対向局受信フレーム信号を受信した場合、前記対向局伝送装置内で多重された上り回線の回線断情報を抽出して対向局障害警報を生成して出力する対向局受信障害警報抽出回路を有し、
前記リンク制御回路は、対向局障害警報を受信し、強制リンク断制御信号を生成して出力し、
前記ＬＡＮ信号終端回路は、前記強制リンク断制御信号を受信し、自局有線伝送路のデータリンクを強制的に切断し、自局のネットワーク機器に対して、前記上り及び下り無線伝送路に障害があることを通知する
ことを特徴とする請求項２記載の無線伝送装置。
【請求項４】
さらに自局リンク断情報を検出する転送保護回路を有し、
いずれか一方の有線伝送路で接続障害が発生し、当該一方の有線伝送路におけるデータリンクが切断された場合、当該有線伝送路に接続された前記ＬＡＮ信号終端回路は、前記一方の有線伝送路におけるデータリンク断を検出すると自局リンク断情報を生成して出力し、
前記転送保護回路は、前記自局リンク断情報を受信し、リンク断転送信号を生成し、前記無線フレーム多重回路へ出力する
ことを特徴とする請求項３記載の無線伝送装置。
【請求項５】
他方の有線伝送路で接続障害が発生し、当該他方の有線伝送路におけるデータリンクが切断された場合、前記自局無線フレーム回路を介して受信した受信フレーム信号から、前記対向局リンク断転送信号を抽出して対向局リンク断情報を生成し、当該対向局リンク断情報を前記リンク制御回路及び前記転送保護回路に出力する対向局リンク情報抽出回路を有し、
前記リンク制御回路は、対向局リンク断情報を受信し、強制リンク断制御信号を生成して出力し、
前記ＬＡＮ信号終端回路は、前記強制リンク断制御信号を受信し、前記一方の有線伝送路のデータリンクを強制的に切断し、自局のネットワーク機器に対して、前記上り及び下り無線伝送路に障害があることを通知する
ことを特徴とする請求項４記載の無線伝送装置。
【請求項６】
対向局リンク断情報を検出中、又は解除されてから、自局リンク断状態からリンクが確立するまでに要する時間が経過するまで、リンク断転送信号を出力させないように転送マスク信号を出力し、前記時間経過後、前記転送マスク信号の出力を停止することを特徴とする請求項５記載の無線伝送装置。
【請求項７】
前記転送保護回路は、
自局リンク断情報を検出し、リンク断転送信号を生成し、無線フレーム多重回路へ出力する転送マスク回路と、
対向リンク断情報を受信中、及び対向局リンク断情報が解除されてから予め定められた保護時間を経過するまで前記転送マスク信号を出力する機能を具備する保護タイマ回路と、
を有することを特徴とする請求項４記載の無線伝送装置。
【請求項８】
前記一方の有線伝送路の接続障害が復旧すると当該有線伝送路のデータリンクが確立し、
前記ＬＡＮ信号終端回路はデータリンクの確立を検出して自局リンク断情報を解除し、
前記自局転送保護回路は自局リンク断情報の解除を検知してリンク断転送信号の解除を行い、対向局無線伝送装置に通知する
ことを特徴とする請求項７記載の無線伝送装置。
【請求項９】
前記対向局リンク情報抽出回路は無線フレーム同期回路を介して受信フレーム信号を受信して対向局リンク断情報の抽出を行い、通知が解除されたことを検出して対向局リンク断情報の解除を行い、
リンク制御回路は対向局リンク断情報の解除を受けて強制リンク断制御信号の解除を行い、
ＬＡＮ信号終端回路は強制リンク断制御信号の解除を受信し、当該有線伝送路のリンク確立を行い、回線を復旧させる
ことを特徴とする請求項８記載の無線伝送装置。
【請求項１０】
前記自局無線伝送装置と前記対向局無線伝送装置との間に無線中継装置が配置されていることを特徴とする請求項１記載の無線伝送装置。
【請求項１１】
上り及び下り無線伝送路を介して対向局無線伝送装置に接続され、自局有線伝送路を介して自局のネットワーク機器に接続されているＳＤＨ無線伝送装置において、
前記下り無線伝送路に回線障害が発生し、異常な無線受信信号を受信すると、回線異常と判断して下り回線断警報を出力する無線フレーム同期回路と、
下り回線断警報を受け、強制リンク断制御信号を生成し、通知するリンク制御回路と、
強制リンク断制御信号を受信し、前記自局有線伝送路のデータリンクを強制的に切断し、前記自局のネットワーク機器に対して、前記上り及び下り無線伝送路に障害があることを通知するＬＡＮ信号終端回路と
を有することを特徴とするＳＤＨ無線伝送装置。
【請求項１２】
前記回線断警報をＳＤＨのオーバヘッド領域に多重することによって無線送信信号を生成し、当該無線送信信号を無線伝送路を介して前記対向局無線伝送装置に送信するＳＤＨ多重回路を有し、
受信障害が発生していない逆方向回線先の対向局無線伝送装置に接続された対向局ネットワーク機器に対しても障害通知を行うこと
を特徴とする請求項１１記載のＳＤＨ無線伝送装置。
【発明の詳細な説明】
【技術分野】
【０００１】
本発明は、有線伝送路から受信したＩＥＥＥ  ８０２．３で標準化されたインタフェース信号（以下ＬＡＮ信号と定義）を、無線伝送路を介して１対１で対向局へ送出し、対向局で再度有線伝送路へ出力する無線伝送装置に関する。
【背景技術】
【０００２】
以下、上記における背景技術について説明する。尚、当該背景技術に関連した先行技術文献情報として以下の特許文献１がある。必要があれば参照されたい。
【０００３】
一般的なＬＡＮデータ通信では双方向の通信が成立しなければならないため、伝送路の一部に無線伝送路を用いてＬＡＮ信号を送受するようなネットワークにおいては、送受いずれか一方の無線伝送路に障害が発生した場合には、伝送路の両端に接続されたネットワーク機器に対して障害を通知する機能が望まれている。
【０００４】
また、無線伝送路を介して対向する双方の無線伝送装置が、各々無線伝送装置と接続されたネットワーク機器との間でデータリンクを確立していなければ、無線伝送路を介したＬＡＮ通信は成立しないため、いずれか一方の無線伝送装置と、無線伝送装置とＬＡＮで接続されたネットワーク機器との間でデータリンクが切断された場合には、無線を介して対向する無線伝送装置に接続されたネットワーク機器に対してもデータリンクを切断する必要がある。
【０００５】
このような課題を解決する手段として、たとえば以下の特許文献１を参照すると、より対線インタフェースと光ファイバインタフェースとで信号変換を行うＬＡＮ用コンバータにおいて、より対線のリンク断を検出して光ファイバへ異常通知信号を送出、また、光ファイバ断を検出してより対線インタフェースの電源供給を停止することにより、ＬＡＮ用コンバータに接続されたネットワーク機器に対して異常通知を行う方法が提案されている。
【０００６】
【特許文献１】特開２０００−３２４１５３号公報
【発明の開示】
【発明が解決しようとする課題】
【０００７】
しかしながら上記の方法では以下のような問題点があった。
【０００８】
まず、図５に示すようなネットワーク構成において、光ファイバ５０４に障害が発生した場合、光コンバータ５０６は光ファイバ５０４の障害を検出してより対線５０７のリンクを切断することによりスイッチングＨＵＢ５０８に対して伝送路の異常を通知することが出来るが、障害が発生していない光ファイバ５０５のデータ送信方向に配置されたスイッチングＨＵＢ５０１に対しては異常を通知する手段が無く、スイッチングＨＵＢ５０１とスイッチングＨＵＢ５０８との間で正常な通信が出来ないのにも関わらずスイッチングＨＵＢ５０１には障害が通知されないという問題があった。
【０００９】
また、より対線５０２でリンク断が発生した場合、光コンバータ５０３は光ファイバ５０４の送信電力を一定値以下に落とすことにより光コンバータ５０６に異常を通知し、光コンバータ５０６がより対線５０７のリンクを切断することでスイッチングＨＵＢ５０８に対して伝送路の異常を通知することが出来るが、より対線５０２のリンクが復帰してからより対線５０７のリンクを復帰させるまでの一連の動作においては、光ファイバ５０４の送信電力が復帰し光コンバータ５０６がより対線５０７のリンク断制御を解除する段階において、より対線５０７のリンク断を検出した光コンバータ５０６が光ファイバ５０５の送信電力を一定値以下に落とす制御が行われてしまい、より対線５０２とより対線５０７のリンク断制御が交互に繰り返され、正常状態に復帰出来ないという問題があった。
【００１０】
本発明の目的は、上記問題点を解決するリンク制御回路を備えた無線伝送装置を提供することである。
【課題を解決するための手段】
【００１１】
本請求項１に係る無線伝送装置（１ａ）は、上り及び下り無線伝送路（３，４）を介して対向局無線伝送装置（１ｂ）に接続され、自局有線伝送路（２ａ）を介して自局のネットワーク機器（０ａ）に接続され、
前記下り無線伝送路（４）に回線障害が発生し、異常な無線受信信号を受信すると、回線異常と判断して下り回線断警報（５５ａ）を出力する無線フレーム同期回路（１５ａ）と、
下り回線断警報（５５ａ）を受け、強制リンク断制御信号（６１ａ）を生成し、通知するリンク制御回路（１９ａ）と、
強制リンク断制御信号（６１ａ）を受信し、前記自局有線伝送路（２ａ）のデータリンクを強制的に切断し、前記自局ネットワーク機器（０ａ）に対して、前記上り及び下り無線伝送路（３，４）に障害があることを通知するＬＡＮ信号終端回路（１１ａ）と
を有することを特徴とする。
【００１２】
本請求項２に係る無線伝送装置（１ａ）は、前記回線断警報（５５ａ）を無線フレームのオーバヘッド領域に多重することによって無線送信信号（５６ａ）を生成し、当該無線送信信号（５６ａ）を無線伝送路（３）を介して前記対向局無線伝送装置（１ｂ）に送信する無線フレーム多重回路（１３ａ）を有し、
受信障害が発生していない逆方向回線先の対向局無線伝送装置（１ｂ）に接続された対向局のネットワーク機器（０ｂ）に対しても障害通知を行うことを特徴とする。
【００１３】
本請求項３に係る無線伝送装置（１ａ）は、
前記上り無線伝送路（３ａ）に障害が発生し、前記下り無線伝送路を介して、前記対向局無線伝送装置（１ｂ）から対向局受信フレーム信号（５８ａ）を受信した場合、前記対向局伝送装置内で多重された上り回線の回線断情報（５５ｂ）を抽出して対向局障害警報（５９ａ）を生成して送出する対向局受信障害警報抽出回路（１７ａ）を有し、
前記リンク制御回路（１９ａ）は、対向局障害警報（５９ａ）を受信し、強制リンク断制御信号（６１ａ）を生成して送出し、
前記ＬＡＮ信号終端回路（１１ａ）は、前記強制リンク断制御信号（６１ａ）を受信し、自局有線伝送路（２ａ）のデータリンクを強制的に切断し、自局のネットワーク機器（０ａ）に対して、前記上り及び下り無線伝送路（３，４）に障害があることを通知することを特徴とする。
【００１４】
本請求項４に係る無線伝送装置（１ａ）は、さらに自局リンク断情報（５２ａ）を検出する転送保護回路（１２ａ）を有し、
いずれか一方の有線伝送路（２ａ）で接続障害が発生し、当該一方の有線伝送路（２ａ）におけるデータリンクが切断された場合、当該有線伝送路（２ａ）に接続された前記ＬＡＮ信号終端回路（１１ａ）は、前記一方の有線伝送路（２ａ）におけるデータリンク断を検出すると自局リンク断情報（５２ａ）を生成し、前記転送保護回路１２ａに出力し、
前記転送保護回路（１２ａ）は、前記自局リンク断情報（５２ａ）を受け、リンク断転送信号（５４ａ）を生成し、前記無線フレーム多重回路（１３ａ）へ出力することを特徴とする。
【００１５】
本請求項５に係る無線伝送装置（１ａ）は、他方の有線伝送路（２ｂ）で接続障害が発生し、当該他方の有線伝送路（２ｂ）におけるデータリンクが切断された場合、前記自局無線フレーム同期回路（１５ａ）を介して受信した受信フレーム信号（５８ａ）から、前記対向局リンク断転送信号（５４ｂ）を抽出して対向局リンク断情報（５３ａ）を生成し、当該対向局リンク断情報（５３ａ）を前記リンク制御回路（１９ａ）及び転送保護回路１２ａに出力する対向局リンク情報抽出回路（１６ａ）を有し、
前記リンク制御回路（１９ａ）は、対向局リンク断情報（５３ａ）を受信すると強制リンク断制御信号（６１ａ）を生成し、ＬＡＮ信号終端回路（１１ａ）に通知し、
前記ＬＡＮ信号終端回路（１１ａ）は、前記強制リンク断制御信号（６１ａ）を受信し、前記一方の有線伝送路（２ａ）のデータリンクを強制的に切断し、自局のネットワーク機器に対して、前記上り及び下り無線伝送路に障害があることを通知することを特徴とする。
【００１６】
本請求項６に係る無線伝送装置（１ａ）は、対向局リンク断情報（５３ａ）を検出中、又は解除されてから、自局リンク断状態からリンクが確立するまでに要する時間が経過するまで、リンク断転送信号を出力させないように転送マスク信号を出力し、前記時間経過後、前記転送マスク信号の出力を停止することを特徴とする。
【００１７】
本請求項７に係る無線伝送装置（１ａ）は、前記転送保護回路が、
対向リンク断情報（５３ａ）を受信中、及び対向局リンク断情報（５３ａ）が解除されてから予め定められた保護時間を経過するまで転送マスク信号を出力する機能を具備する保護タイマ回路（２０１）と、
自局リンク断情報（５２ａ）を検出し、リンク断転送信号（５４ａ）を生成し、無線フレーム多重回路（１３ａ）へ出力する転送マスク回路（２０２）を有することを特徴とする。
【００１８】
本請求項８に係る無線伝送装置（１ａ）は、前記一方の有線伝送路（２ａ）の接続障害が復旧すると当該有線伝送路（２ａ）のデータリンクが確立し、
前記ＬＡＮ信号終端回路（１１ａ）はデータリンクの確立を検出して自局リンク断情報（５２ａ）を解除し、
前記自局転送保護回路（１２ａ）は自局リンク断情報（５２ａ）の解除を検知してリンク断転送信号（５２ａ）の解除を行い、対向局無線伝送装置（１ｂ）に通知することを特徴とする。
【００１９】
本請求項９に係る無線伝送装置（１ａ）は、前記対向局リンク情報抽出回路（１６ａ）は無線フレーム同期回路（１５ａ）を介して受信フレーム信号（５８ａ）を受信して対向局リンク断情報（５３ａ）の抽出を行い、通知が解除されたことを検出して対向局リンク断情報（５３ａ）の解除を行い、
リンク制御回路（１９ａ）は対向局リンク断情報（５３ａ）の解除を受けて強制リンク断制御信号（６１ａ）の解除を行い、
ＬＡＮ信号終端回路（１１ａ）は強制リンク断制御信号（６１ａ）の解除を受信し、当該有線伝送路（２ａ）のリンク確立を行い、回線を復旧させることを特徴とする。
【００２０】
本請求項１０に係る無線伝送装置（１ａ）は、前記自局無線伝送装置（１ａ）と前記対向局無線伝送装置（１）との間に無線中継装置が配置されていることを特徴とする。
【００２１】
本請求項１１に係るＳＤＨ無線伝送装置（１ａ）は、上り及び下り無線伝送路（３，４）を介して対向局無線伝送装置（１ｂ）に接続され、自局有線伝送路（２ａ）を介して自局のネットワーク機器（０ａ）に接続されているＳＤＨ無線伝送装置において、
前記下り無線伝送路に回線障害が発生し、異常な無線受信信号を受信すると、回線異常と判断して下り回線断警報を出力する無線フレーム同期回路と、
下り回線断警報を受け、強制リンク断制御信号を生成し、通知するリンク制御回路と、
強制リンク断制御信号を受信し、前記自局有線伝送路のデータリンクを強制的に切断し、前記自局のネットワーク機器に対して、前記上り及び下り無線伝送路に障害があることを通知するＬＡＮ信号終端回路とを有することを特徴とする。
【００２２】
本請求項１２に係るＳＤＨ無線伝送装置（１ａ）は、前記回線断警報をＳＤＨのオーバヘッド領域に多重することによって無線送信信号を生成し、当該無線送信信号を無線伝送路を介して前記対向局無線伝送装置に送信するＳＤＨ多重回路を有し、受信障害が発生していない逆方向回線先の対向局無線伝送装置に接続された対向局ネットワーク機器に対しても障害通知を行うことを特徴とする。
【発明の効果】
【００２３】
本発明の第一の効果は、無線伝送装置と無線伝送装置に接続されたネットワーク機器との間の有線伝送路においてリンクが確立しているのにも関わらず、無線伝送路の障害によって、無線伝送路を介して対向する無線伝送装置に接続されたネットワーク機器との間で正常にＬＡＮ信号の伝送が出来ない状態を回避できることである。
【００２４】
その理由は、上り回線もしくは下り回線のいずれか一方の無線伝送路で回線障害を検出した場合に、無線伝送路を介して対向する二つの無線伝送装置に各々接続されたネットワーク機器に対して、強制的にデータリンクを切断する機能を備えているためである。
【００２５】
本発明の第二の効果は、無線伝送路を介して対向する無線伝送装置に各々接続された有線伝送路のうち、いずれか一方のリンクが切断された場合に、対向する無線伝送装置に接続されたネットワーク機器が伝送路の切断を認識できない問題を回避できることである。
【００２６】
その理由は、無線伝送路を介して対向する無線伝送装置に各々接続されたネットワーク機器のうち、いずれか一方のリンクが切断された場合に、対向する無線伝送装置に接続された有線伝送路のデータリンクを切断する機能を備えているためである。
【００２７】
本発明の第三の効果は、無線伝送路を介して対向する無線伝送装置に各々接続された有線伝送路のうち、いずれか一方のリンクが切断された場合に、対向する無線伝送装置に接続された有線伝送路のデータリンクを切断する制御によって、両局が互いに自局のリンクを強制的に切断し、正常状態に復帰出来ないという問題を回避できることである。
【００２８】
その理由は、対向局のリンク断情報を検出している状態で自局の有線伝送路のデータリンク断を検出した場合は、対向局に対して自局のリンク断情報の転送を停止する保護回路を備えているためである。
【００２９】
本発明の第四の効果は、対向局に接続された有線伝送路のリンク断を基に自局に接続された有線伝送路のデータリンクを切断した状態から正常状態に復帰する過程において、対向局のリンク確立により自局の強制リンク断制御が解除されてから自局のリンクが確立するまでに生じる時間差によって、両局のリンク断制御が交互に行われ、正常状態に復帰出来ないという問題を回避できることである。
【００３０】
その理由は、対向局に接続された有線伝送路のリンク断を基に自局に接続された有線伝送路のリンクを強制的に切断している時は対向局に対して自局のリンク断情報の転送を停止する保護回路において、対向局のリンクが確立してから自局リンク断情報の転送を許可するまでの間に一定の保護時間を備えているためである。
【発明を実施するための最良の形態】
【００３１】
以下、本発明を実施するための最良の形態について説明する。図１は本発明の一実施例を示すブロック図である。図１に示す実施例は有線伝送路から受信したＬＡＮ信号を無線伝送路を介して１対１で対向局へ送出し、対向局で再度有線伝送路へ出力する無線伝送装置１ａ、１ｂが、無線伝送路３、４を介して対向しているものである。無線伝送装置１ａと無線伝送装置１ｂは同一の構成をとり、無線伝送装置１ｂを構成する１１ｂ〜１９ｂ、５１ｂ〜６１ｂは、無線伝送装置１ａを構成する１１ａ〜１９ａ、５１ａ〜６１ａに各々対応する。ここでは無線伝送装置１ａの構成について詳細に説明する。
【００３２】
図１において、ＬＡＮ信号終端回路１１ａは有線伝送路２ａを介してＬＡＮで接続された図示しないネットワーク機器との間でデータリンク層におけるリンクの確立を行う。リンクが確立している時は、前記ネットワーク機器から有線伝送路２ａを介して受信したＬＡＮ受信データ信号５１ａを後述する無線フレーム多重回路１３ａへ出力すると共に、後述する信号抽出回路１８ａからＬＡＮ送信データ信号６０ａを受信し、有線伝送路２ａを介して前記ネットワーク機器へ出力する。
【００３３】
有線伝送路２ａのリンクが切断している時は自局リンク断情報５２ａを後述する転送保護回路１２ａへ出力する。また、後述するリンク制御回路１９ａから強制リンク断制御信号６１ａを受信すると、前記ネットワーク機器との間のリンクを強制的に切断し強制リンク断制御信号６１ａが解除されるまでリンク確立動作を停止する。
【００３４】
転送保護回路１２ａは前記自局リンク断情報５２ａと後述する対向局リンク断情報５３ａとを監視し、リンク断転送信号５４ａを生成して無線フレーム多重回路１３ａに出力するものである。
【００３５】
図２は転送保護回路１２ａ（１２ｂ）の一実施例を示すものであり、保護タイマ回路２０１及び転送マスク回路２０２から構成される。
【００３６】
保護タイマ回路２０１は、対向リンク断情報５３ａ（５３ｂ）を検出している場合、及び対向リンク断情報５３ａ（５３ｂ）が解除されてから予め定められた一定の保護時間が経過していない場合は、転送マスク回路２０２へマスク信号２０３を出力する。転送マスク回路２０２はマスク信号２０３に従い、マスク信号２０３を受信していない場合は自局リンク断情報５２ａ（５２ｂ）をリンク断転送信号５４ａ（５４ｂ）として出力し、マスク信号２０３を受信している場合は自局リンク断情報５２ａ（５２ｂ）を無効にし、リンク断転送信号５４ａ（５４ｂ）の出力を停止する。
【００３７】
図１の無線フレーム多重回路１３ａは、ＬＡＮ信号を多重する主信号領域と、無線装置で使用する各種制御信号等を多重するオーバヘッド領域とから構成される独自のフレーム構造を持つ無線フレームの主信号領域に前記ＬＡＮ受信データ信号５１ａを多重すると共に、前記転送保護回路１２ａから受信したリンク断転送信号５４ａ、及び後述する回線断警報５５ａを無線フレームのオーバヘッド領域に多重して無線送信信号５６ａを生成し出力する。
【００３８】
無線送受信回路１４ａは前記無線送信信号５６ａを無線伝送路３を介して対向する無線伝送装置１ｂに出力すると共に、前記無線伝送装置１ｂから無線伝送路４を介して受信した無線受信信号５７ａを後述する無線フレーム同期回路１５ａへ出力する。
【００３９】
無線フレーム同期回路１５ａは前記無線送受信回路１４ａから前記無線受信信号５７ａを受信し、無線フレームの同期確立を行い受信フレーム信号５８ａを出力する。また、無線送受信回路１４ａの受信系機器故障、無線送受信回路１４ｂの送信系機器故障、もしくは無線伝送路４における回線障害のいずれかが発生して無線フレームの同期が取れない場合は、回線断警報５５ａを生成し出力する。
【００４０】
信号抽出回路１８ａは受信フレーム信号５８ａの主信号領域からＬＡＮ送信データ信号６０ａを抽出してＬＡＮ信号終端回路１１ａへ出力する。
【００４１】
対向局リンク情報抽出回路１６ａは、受信フレーム信号５８ａのオーバヘッド領域から無線伝送装置１ｂにおいて生成・多重されたリンク断転送信号５４ｂを抽出して対向局リンク断情報５３ａを生成し、リンク制御回路１９ａに出力する。
【００４２】
対向局受信障害警報抽出回路１７ａは、受信フレーム信号５８ａのオーバヘッド領域から無線伝送装置１ｂにおいて生成・多重された回線断警報５５ｂを抽出して対向局障害警報５９ａを生成し、リンク制御回路１９ａへ出力する。
【００４３】
以下、本発明の一実施例に係る無線伝送装置の動作、すなわち伝送路の障害通知方法について詳細に説明する。
【００４４】
図３は本発明の一実施例を示すものである。図３において、無線伝送装置１ａと無線伝送装置１ｂは無線伝送路３、４を介して対向しており、ネットワーク機器０ａと無線伝送装置１ａとの間は有線伝送路２ａで接続され、ネットワーク機器０ｂと無線伝送装置１ｂとの間は有線伝送路２ｂで接続されている。なお、無線伝送装置１ａから無線伝送装置１ｂへ向かう回線を上り回線、無線伝送装置１ｂから無線伝送装置１ａへ向かう回線を下り回線と定義する。また、図３に示す無線伝送装置１ａ及び無線伝送装置１ｂは図１に示す内部構成を持つ。
【００４５】
ここで、有線伝送路２ａ、２ｂが各々データリンク層でリンクが確立している状態において、下り回線の無線伝送路４に回線障害が発生した場合について図１及び図３を参照して詳細に説明する。
【００４６】
図１において、無線伝送装置１ａの無線フレーム同期回路１５ａは、無線伝送路４に回線障害が発生したことによって無線送受信回路１４ａから異常な無線受信信号５７ａを受信すると、回線異常と判断してリンク制御回路１９ａと無線フレーム多重回路１３ａとに対して回線断警報５５ａを出力する。リンク制御回路１９ａは回線断警報５５ａを受けて強制リンク断制御信号６１ａを生成しＬＡＮ信号終端回路１１ａに通知する。ＬＡＮ信号終端回路１１ａは強制リンク断制御信号６１ａを受信すると有線伝送路２ａのデータリンクを強制的に切断することにより、図３に示すネットワーク機器０ａに対して無線伝送路３、４を介して構成されるネットワーク機器０ａとネットワーク機器０ｂとの間の伝送路に障害があることを通知する。
【００４７】
また、無線フレーム多重回路１３ａは受信した回線断警報５５ａを前記無線フレームのオーバヘッド領域に多重して無線送信信号５６ａを生成し、無線送受信回路１４ａ、無線伝送路３を介して対向する無線伝送装置１ｂに送信する。
【００４８】
無線伝送装置１ｂの対向局受信障害警報抽出回路１７ｂは無線送受信回路１４ｂ及び無線フレーム同期回路１５ｂを介して受信した受信フレーム信号５８ｂから、前記無線フレーム多重回路１３ａで多重された下り回線の回線断情報５５ａを抽出して対向局障害警報５９ｂを生成し、リンク制御回路１９ｂに出力する。リンク制御回路１９ｂは対向局障害警報５９ｂを受信すると強制リンク断制御信号６１ｂを生成しＬＡＮ信号終端回路１１ｂに通知する。ＬＡＮ信号終端回路１１ｂは前記強制リンク断制御信号６１ｂを受信し有線伝送路２ｂのデータリンクを強制的に切断することにより、図３に示すネットワーク機器０ｂに対して無線伝送路３、４を介して構成されるネットワーク機器０ａとネットワーク機器０ｂとの間の伝送路に障害があることを通知する。
【００４９】
以上より、図３に示した無線伝送路で対向する無線伝送装置１ａ、１ｂを介して構成されるネットワーク機器０ａとネットワーク機器０ｂとの間の伝送路において、無線伝送路の上り回線３、もしくは下り回線４のいずれか一方に障害が発生した場合において、受信障害が発生している無線伝送装置に接続されたネットワーク機器に対して障害を通知すると共に、受信障害が発生していない逆方向回線の無線伝送装置に接続されたネットワーク機器に対しても障害通知を行うことができる。
【００５０】
次に、図３において無線伝送路３、４に回線障害が無く、有線伝送路２ａ、２ｂはデータリンク層でリンクが確立している状態において、有線伝送路２ａで接続障害が発生し、有線伝送路２ａにおけるデータリンクが切断された場合について説明する。なお、有線伝送路２ｂにおいてデータリンクが確立している時間は、図２において転送保護回路１２ａを構成する保護タイマ回路２０１が、対向局リンク情報断５３ａの解除から予め定められた一定の保護時間中に転送マスク信号２０３を出力している時間よりも長いものとする。
【００５１】
図１において、無線伝送装置１ａのＬＡＮ信号終端回路１１ａは有線伝送路２ａにおけるデータリンク断を検出すると自局リンク断情報５２ａを生成し、転送保護回路１２ａへ出力する。このとき、図２に示す保護タイマ回路２０１は、対向局リンク断情報５３ａが解除されてから予め定められた保護時間を経過しているためマスク信号２０３を出力しない。転送マスク回路２０２は自局リンク断情報５２ａを検出すると即時にリンク断転送信号５４ａを生成し、無線フレーム多重回路１３ａへ出力する。
【００５２】
無線伝送装置１ｂの対向局リンク情報抽出回路１６ｂは、無線送受信回路１４ｂ、及び無線フレーム同期回路１５ｂを介して受信した受信フレーム信号５８ｂから、無線伝送装置１ａの無線フレーム多重回路１３ａで多重されたリンク断転送信号５４ａを抽出して対向局リンク断情報５３ｂを生成し、リンク制御回路１９ｂ及び転送保護回路１２ｂに出力する。リンク制御回路１９ｂは対向局リンク断情報５３ｂを受信すると強制リンク断制御信号６１ｂを生成し、ＬＡＮ信号終端回路１１ｂに通知する。ＬＡＮ信号終端回路１１ｂは強制リンク断制御信号６１ｂを受信すると有線伝送路２ｂのデータリンクを強制的に切断することにより、図３に示すネットワーク機器０ｂに対して無線伝送路３、４を介して構成されるネットワーク機器０ａとネットワーク機器０ｂとの間の伝送路に障害があることを通知する。
【００５３】
このとき、図１においてＬＡＮ信号終端回路１１ｂは強制リンク断制御によって発生した有線伝送路２ｂのリンク断を検出して自局リンク断情報５２ｂを生成し、転送保護回路１２ｂに通知するが、転送保護回路１２ｂは既に対向リンク情報抽出回路１６ｂから対向局リンク断情報５３ｂを受信しているため、自局リンク断情報５２ｂを受信してもリンク断転送信号５４ｂを出力しない。
【００５４】
よって、無線伝送装置１ａの対向局リンク情報抽出回路１６ａは、無線伝送装置１ｂから無線送受信回路１４ａ、無線フレーム同期回路１５ａを介して受信した受信フレーム信号５８ａから対向局リンク断情報５３ａを検出しないため、有線伝送路２ｂでリンクが切断している状態においても、リンク制御回路１９ａは本条件下で強制リンク断制御信号６１ａを出力しない。
【００５５】
次に、上記の状態から有線伝送路２ａの接続障害が復旧した場合について説明する。無線伝送装置１ａのリンク制御回路１９ａは強制リンク断制御信号６１ａを出力していないため、有線伝送路２ａは接続障害が復旧するとデータリンクが確立する。ＬＡＮ信号終端回路１１ａはデータリンクの確立を検出して自局リンク断情報５２ａを解除する。転送保護回路１２ａは自局リンク断情報５２ａの解除を検知してリンク断転送信号５２ａの解除を行い、無線フレーム多重回路１３ａ及び無線送受信回路１４ａを介して無線伝送装置１ｂに通知する。無線伝送装置１ｂの対向局リンク情報抽出回路１６ｂは無線送受信回路１４ｂ及び無線フレーム同期回路１５ｂを介して受信フレーム信号５８ｂを受信して対向局リンク断情報５３ｂの抽出を行い、通知が解除されたことを検出して対向局リンク断情報５３ｂの解除を行う。リンク制御回路１９ｂは対向局リンク断情報５３ｂの解除を受けて強制リンク断制御信号６１ｂの解除を行う。ＬＡＮ信号終端回路１１ｂは強制リンク断制御信号６１ｂの解除を受信すると有線伝送路２ｂのリンク確立を行い、回線を復旧させる。このとき、対向局リンク断情報５３ｂが解除されてから有線伝送路２ｂのリンクが確立し、自局リンク断情報５２ｂが解除されるまでの間にタイムラグが発生するが、図２の転送保護回路１２ｂの保護タイマ回路２０１が対向局リンク断情報５３ｂの解除に対して予め定められた時間の保護を行った後にマスク信号２０３の解除を行うことで、有線伝送路２ｂが復旧し自局リンク断情報５２ｂが確実に解除されるまでの間にリンク断転送信号５４ｂが出力されることを防ぐ。なお、予め定められた時間は、有線伝送路がデータリンク層でリンクを確立するまでに要する時間よりも長い時間とする。
【００５６】
以上より、図３に示した無線伝送路で対向する無線伝送装置１ａ、１ｂを介して構成されるネットワーク機器０ａとネットワーク機器０ｂとの間の伝送路において、有線伝送路２ａ、もしくは有線伝送路２ｂのいずれか一方に接続障害が発生した場合は、無線伝送装置を介して障害情報を転送し、障害の発生していない有線伝送路のデータリンクを強制的に解除することにより、障害が発生していない有線伝送路に接続されたネットワーク機器に対してリンク断をもって伝送路の異常を通知することが出来る。
【００５７】
また、対向局から転送され受信フレーム信号から抽出した対向局リンク断情報によって自局リンク断情報の転送をマスクし、かつ、対向局から転送され受信フレーム信号から抽出した対向局リンク断情報の解除側に保護時間を設けることにより、対向局に接続された有線伝送路のリンク断をもって自局に接続された有線伝送路のリンク断を行う制御が無線伝送路を介した無線伝送装置間でループすることを防止することができる。
【００５８】
次に、本発明の他の実施例について説明する。上記した実施例では、リンク情報を対向する無線伝送装置に転送する方法として独自の無線フレームのオーバヘッド領域に多重する方法を示しているが、無線フレームのオーバヘッド領域に多重する方法に限定されるものではなく、例えばＳＤＨ信号の生成及び終端を行う機能を有する無線伝送装置においては、ＳＤＨのオーバヘッド領域に多重して転送しても良い。この場合無線フレームのオーバヘッド領域に多重する方法における無線フレーム多重回路がＳＤＨ多重回路に置き換わることとなる。
【００５９】
また、例えば図４に示すように無線伝送装置１ａと無線伝送装置１ｂとの間に無線中継装置４０１を配置した構成においても適用することができる。
【図面の簡単な説明】
【００６０】
【図１】本発明の一実施例に係る無線伝送装置の構成を示したブロック図である。
【図２】転送保護回路の一実施例を示した図である。
【図３】本発明の一実施例に係る無線伝送装置を含めた無線伝送システム全体を示す図である。
【図４】本発明の他の実施例に係る無線伝送装置を含めた無線伝送システム全体を示す図である。
【図５】従来のネットワークシステム全体を示す図である。
【符号の説明】
【００６１】
０ａ，０ｂ    ネットワーク機器
１ａ，１ｂ    無線伝送装置
２ａ，２ｂ    有線伝送路
３、４    無線伝送路
１１ａ，１１ｂ    ＬＡＮ信号終端回路
１２ａ，１２ｂ    転送保護回路
１３ａ，１３ｂ    無線フレーム多重回路
１４ａ，１４ｂ    無線送受信回路
１５ａ，１５ｂ    無線フレーム同期回路
１６ａ，１６ｂ    対向局リンク情報抽出回路
１７ａ，１７ｂ    対向局受信障害警報抽出回路
１８ａ，１８ｂ    信号抽出回路
１９ａ，１９ｂ    リンク制御回路
５１ａ，５１ｂ    ＬＡＮ受信データ信号
５２ａ，５２ｂ    自局リンク断情報
５３ａ，５３ｂ    対向局リンク断情報
５４ａ，５４ｂ    リンク断転送信号
５５ａ，５５ｂ    回線断警報
５６ａ，５６ｂ    無線送信信号
５７ａ，５７ｂ    無線受信信号
５８ａ，５８ｂ    受信フレーム信号
５９ａ，５９ｂ    対向局障害警報
６０ａ，６０ｂ    ＬＡＮ送信データ信号
６１ａ，６１ｂ    強制リンク断制御信号
２０１    保護タイマ回路
２０２    転送マスク回路
２０３    マスク信号
４０１    無線中継装置
【図１】
2005217565.tif 000003
【図２】
2005217565.tif 000004
【図３】
2005217565.tif 000005
【図４】
2005217565.tif 000006
【図５】
2005217565.tif 000007